(57)【要約】【課題】弁収納部の低圧側保持部における圧縮室と低圧側とを連通する連通隙間の面積を、簡単な構造で小さくし、前記連通隙間から圧縮ガスが漏れるのを抑制する。【解決手段】密閉形スクリュー圧縮機は、スクリューロータを収納するロータ収納部４１と、設定容積比を調整する容積比調整弁と、この容積比調整弁を収納する弁収納部３７と、該弁収納部の低圧側に設けられ容積比調整弁の低圧側を保持する低圧側保持部３３とを備える。前記低圧側保持部は、ロータ収納部を形成している２つの円弧部分に対応する２つの円弧で形成され、これら２つの円弧の交点付近には圧縮室側と低圧側空間を連通する溝３６が形成される。この溝の位置に対応するロータ収納部の低圧側端面には、前記溝よりも大きく形成された凹部４４を設け、この凹部には前記容積比調整弁と前記溝により形成される連通隙間３９を塞ぐようにピース４５を設置する。【選択図】図２
2014077362.tif 000002
【特許請求の範囲】
【請求項１】
圧縮機ケーシングと、この圧縮機ケーシング内に設けられた雄雌一対のスクリューロータを収納するためのロータ収納部と、前記スクリューロータに隣接して配置され軸方向に往復移動することにより圧縮機の設定容積比を調整する容積比調整弁と、前記圧縮機ケーシング内に設けられ前記容積比調整弁を収納する弁収納部と、該弁収納部の低圧側に設けられ前記容積比調整弁の低圧側を保持する低圧側保持部と、を備える密閉形スクリュー圧縮機であって、
前記低圧側保持部は、前記ロータ収納部を形成している２つの円弧部分に対応する２つの円弧で形成されることにより、前記２つの円弧の交点付近には、圧縮室側と低圧側空間を連通する溝が形成され、
この溝の位置に対応する前記ロータ収納部の低圧側端面には、前記溝よりも大きく形成された凹部を設け、
この凹部には、前記容積比調整弁と前記溝により形成される連通隙間を塞ぐようにピースを設置している
ことを特徴とする密閉形スクリュー圧縮機。
【請求項２】
請求項１に記載の密閉形スクリュー圧縮機において、前記スクリューロータには駆動用モータが直結され、該駆動用モータをインバータで駆動して回転数を制御可能に構成していることを特徴とする密閉形スクリュー圧縮機。
【請求項３】
請求項１に記載の密閉形スクリュー圧縮機において、前記凹部は、前記溝よりも大きな任意の円弧で形成され、前記ピースは、前記ロータ収納部を形成している２つの円弧部分に対応する円弧と、前記凹部を形成している任意の円弧により形成されていることを特徴とする密閉形スクリュー圧縮機。
【請求項４】
請求項１に記載の密閉形スクリュー圧縮機において、前記凹部は、前記溝よりも大きな任意の円弧で形成され、前記ピースは、前記ロータ収納部を形成している２つの円弧部分に対応する円弧のうちの何れか一方の円弧と、前記凹部を形成している任意の円弧により形成されていることを特徴とする密閉形スクリュー圧縮機。
【請求項５】
請求項３または４に記載の密閉形スクリュー圧縮機において、前記凹部及び前記ピースを形成している任意の円弧の一部を直線部で形成していることを特徴とする密閉形スクリュー圧縮機。
【請求項６】
請求項１に記載の密閉形スクリュー圧縮機において、前記凹部は、前記溝よりも大きな任意の輪郭に形成され、前記ピースは、前記ロータ収納部を形成している２つの円弧部分に対応する円弧と、前記凹部を形成している任意の輪郭と同じ輪郭により形成されていることを特徴とする密閉形スクリュー圧縮機。
【請求項７】
請求項１に記載の密閉形スクリュー圧縮機において、前記圧縮機ケーシング内に、前記スクリューロータを駆動する駆動用モータ、前記スクリューロータを低圧側で支持する低圧側軸受、及び前記スクリューロータを高圧側で支持する高圧側軸受を備えていることを特徴とする密閉形スクリュー圧縮機。
【請求項８】
請求項７に記載の密閉形スクリュー圧縮機において、前記圧縮機ケーシングを、モータケーシング、主ケーシング、吐出ケーシング及びモータカバーで構成し、前記モータケーシングには、前記駆動用モータと前記低圧側軸受を収納し、前記主ケーシングには、前記スクリューロータと前記容積比調整弁を収納し、前記吐出ケーシングには、前記高圧側軸受を収納し、前記モータカバーには、前記駆動用モータのコイルエンド部が収納される構成とし、前記容積比調整弁を支持する前記低圧側保持部を前記主ケーシングの低圧側端部に存在させることにより、この低圧側保持部を主ケーシングの低圧側から加工可能に構成していることを特徴とする密閉形スクリュー圧縮機。
【発明の詳細な説明】
【技術分野】
【０００１】
本発明は密閉形スクリュー圧縮機に関し、特に空調調和機、チラーユニット、冷凍機などの冷凍空調装置に使用される密閉形スクリュー圧縮機に関する。
【背景技術】
【０００２】
密閉形スクリュー圧縮機では、スクリューロータに隣接したスライド弁を用いた容量制御弁で容量（吐出量）を制御することが良く行なわれている。前記容量制御弁は、スクリューロータの軸方向に移動させて圧縮ガスを低圧側にバイパスさせることにより、容量を制御するもので、前記容量制御弁の移動量に応じて吐出量を変えるものである。
【０００３】
最近では、機械的に容量を制御する前記容量制御弁の代わりに、インバータによりスクリュー圧縮機の駆動モータを回転数制御することも行われている。このインバータを使用した回転数制御による容量制御は、油圧を用いて動作する前記容量制御弁による制御に比べて、応答性に優れ、負荷追従性を向上させることができる。
【０００４】
また、密閉形スクリュー圧縮機には吸入弁、吐出弁が無いので、運転圧力比に応じた最適な設定容積比があることが知られている。ここで、前記運転圧力比とは、吐出側圧力を吸込側圧力で割った値であり、また前記設定容積比とは、スクリューロータの最大空間容積を吐出直前のスクリューロータ空間容積で割った値である。所定の運転圧力比で最適な設定容積比になるように設計することは可能であるが、前記運転圧力比が前記設定容積比よりも大きくなると圧縮不足となり、前記運転圧力比が前記設定容積比よりも小さくなると過圧縮となって、余分な圧縮動力が費やされることになる。
【０００５】
そこで、任意の運転圧力比に応じて最適な設定容積比にできるように、スクリューロータに隣接したスライド弁を用いて設定容積比の調整を可能とした容積比調整弁を備えたスクリュー圧縮機も知られている。この容積比調整弁は、スクリューロータの軸方向に移動することで圧縮ガスの吐き出しのタイミングを調整すると共に、軸方向に移動しても低圧側空間に圧縮ガスをバイパス（流出）させないように構成したものである。この種の公知例としては、特許文献１（特開平５−２３１３６３号公報）や特許文献２（特開２０１１−８０３８５号公報）に記載されたものなどがある。
【０００６】
上記容積比調整弁が軸方向に移動しても、圧縮ガスを前記低圧側空間にバイパスさせないようにするために、次のように構成している。即ち、圧縮機ケーシングの内部に前記容積比調整弁を収納するための弁収納部を設け、この弁収納部は、低圧側から高圧側まで連続するように構成されている。また、前記容積比調整弁は、前記スクリューロータの低圧側端面より前記低圧側に長くなるように構成され、この容積比調整弁の軸方向移動に係わらず、該容積比調整弁の一部が、常に前記弁収納部の低圧側に存在するように構成されている。これにより、圧縮室が前記低圧側空間に開口しないように構成することが可能となる。
【先行技術文献】
【特許文献】
【０００７】
【特許文献１】特開平５−２３１３６３号公報
【特許文献２】特開２０１１−８０３８５号公報
【発明の概要】
【発明が解決しようとする課題】
【０００８】
チラーユニットや冷凍機に使用される密閉形スクリュー圧縮機では、スクリューロータを横向きにして、前記容積比調整弁を前記スクリューロータの上部に配置することが多い。これは、圧縮機を低重心にして、吐出口を圧縮機の上部に設置した方が、前記スクリュー圧縮機を搭載するチラーユニットや冷凍機のレイアウトが容易となるためである。このようなスクリュー圧縮機において、圧縮機ケーシングの内部に前記容積比調整弁を収納するための弁収納部を設けただけでは、前記容積比調整弁を前記スクリューロータに接触しないように構成することは困難になる。そこで、容積比調整弁を収納する前記弁収納部には、前記容積比調整弁を保持するための保持部を低圧側と高圧側に、即ち低圧側保持部と高圧側保持部の両方設ける必要がある。そして、前記低圧側保持部は、前記スクリューロータを収納するロータ収納部を形成している２つの円弧部分に対応する形状に形成されている。
【０００９】
ところが、前記２つの円弧部分の交点は鋭く切れ込んだ形状となっているため、前記低圧側保持部を、例えばエンドミルを使用して機械加工したのでは、前述したような交点が鋭く切れ込んだ形状に製作することは不可能である。このため、前述した２つの円弧部分の交点に対応する前記低圧側保持部の形状は、エンドミルの半径と同一のＲ部を有する溝に形成されてしまう。従って、前記低圧側保持部には、前記Ｒ部を有する溝と前記容積比調整弁との間に、前記Ｒ部の径の大きさに対応した隙間が形成され、この隙間は圧縮室と低圧側空間を連通する連通隙間になってしまう。
【００１０】
この連通隙間から、圧縮ガスが低圧側に常時漏れることになり、漏れ損失が増加し、スクリュー圧縮機の効率を低下させる。インバータを用いてスクリュー圧縮機の駆動モータを回転数制御する場合、特に中低速の運転範囲では、スクリューロータの１回転当りの漏れ量が増加するので、スクリュー圧縮機の効率が著しく低下する。
【００１１】
なお、容積比調整弁の前記収納部の低圧側を閉空間とすることにより、この収納部が前記低圧側空間に開口しない構成にすることも可能である。しかし、このように構成した場合、往復移動する前記容積比調整弁を収納する前記弁収納部の低圧側の閉空間は、前記容積比調整弁の移動により大きな容積が形成され、これがデッドスペースとなる。また、前記弁収納部の低圧側を閉空間に構成しても、前述した連通隙間を介して、大きな容積の前記弁収納部と圧縮室とは連通してしまうため、スクリュー圧縮機の効率はやはり低下することになる。
【００１２】
本発明の目的は、容積比調整弁を収納する弁収納部の低圧側保持部における圧縮室と低圧側とを連通する連通隙間の面積を、簡単な構造で小さくして前記連通隙間から圧縮ガスが漏れるのを抑制し、これにより漏れ損失を低減して効率向上を図ることのできる密閉形スクリュー圧縮機を得ることにある。
【課題を解決するための手段】
【００１３】
上記目的を達成するために、本発明は、圧縮機ケーシングと、この圧縮機ケーシング内に設けられた雄雌一対のスクリューロータを収納するためのロータ収納部と、前記スクリューロータに隣接して配置され軸方向に往復移動することにより圧縮機の設定容積比を調整する容積比調整弁と、前記圧縮機ケーシング内に設けられ前記容積比調整弁を収納する弁収納部と、該弁収納部の低圧側に設けられ前記容積比調整弁の低圧側を保持する低圧側保持部と、を備える密閉形スクリュー圧縮機であって、前記低圧側保持部は、前記ロータ収納部を形成している２つの円弧部分に対応する２つの円弧で形成されることにより、前記２つの円弧の交点付近には、圧縮室側と低圧側空間を連通する溝が形成され、この溝の位置に対応する前記ロータ収納部の低圧側端面には、前記溝よりも大きく形成された凹部を設け、この凹部には、前記容積比調整弁と前記溝により形成される連通隙間を塞ぐようにピースを設置していることを特徴とする。
【発明の効果】
【００１４】
本発明によれば、容積比調整弁を収納する弁収納部の低圧側保持部における圧縮室と低圧側とを連通する連通隙間の面積を、簡単な構造で小さくすることができるから、前記連通隙間から圧縮ガスが漏れるのを抑制することができ、これにより漏れ損失を低減して効率向上を図ることのできる密閉形スクリュー圧縮機を得ることができる効果がある。
【図面の簡単な説明】
【００１５】
【図１】本発明の実施例１を示す密閉形スクリュー圧縮機の縦断面図。
【図２】図１のII−II線矢視断面図で、容積比調整弁及びピースを設置する前の状態を示す図。
【図３】図１のII−II線矢視断面図で、容積比調整弁及びピースを設置した後の状態を示す図。
【図４】図２のＡ方向から見た低圧側保持部の構造を示す図。
【図５】図３に示すピース４５の形状を示す正面図。
【図６】従来の密閉形スクリュー圧縮機を示す図で、図２に相当する断面図。
【図７】従来の密閉形スクリュー圧縮機を示す図で、図３に相当する断面図。
【図８】図６のＢ方向から見た低圧側保持部の構造を示す図。
【図９】本発明の実施例２を示す密閉形スクリュー圧縮機の縦断面図。
【図１０】本発明の密閉形スクリュー圧縮機の実施例３を示す図で、図２に相当する断面図。
【図１１】本発明の密閉形スクリュー圧縮機の実施例３を示す図で、図３に相当する断面図。
【図１２】図１０のＣ方向から見た低圧側保持部の構造を示す図。
【図１３】図１１に示すピース４５の形状を示す正面図。
【図１４】本発明の密閉形スクリュー圧縮機の実施例４を示す図で、図２に相当する断面図。
【図１５】本発明の密閉形スクリュー圧縮機の実施例４を示す図で、図３に相当する断面図。
【図１６】図１４のＤ方向から見た低圧側保持部の構造を示す図。
【図１７】図１５に示すピース４５の形状を示す正面図。
【図１８】本発明の実施例５を示す密閉形スクリュー圧縮機の縦断面図。
【発明を実施するための形態】
【００１６】
以下、本発明の密閉形スクリュー圧縮機の具体的実施例を、図面に基づいて詳細に説明する。なお、各図において、同一符号を付した部分は同一或いは相当する部分を示している。
【実施例１】
【００１７】
図１〜図５により本発明の密閉形スクリュー圧縮機の実施例１を説明する。なお、図６〜図８により本発明に対応する従来の密閉形スクリュー圧縮機についても、比較のために合せて説明する。  
図１は本発明の実施例１を示す密閉形スクリュー圧縮機の縦断面図、図２は図１のII−II線矢視断面図で、容積比調整弁及びピースを設置する前の状態を示す図、図３は図１のII−II線矢視断面図で、容積比調整弁及びピースを設置した後の状態を示す図、図４は図２のＡ方向から見た低圧側保持部の構造を示す図、図５は図３に示すピース４５の形状を示す正面図である。
【００１８】
図１に示すように、密閉形スクリュー圧縮機は、互いに密封関係に接続されたモータケーシング１、主ケーシング２及び吐出ケーシング３を有している。  
前記モータケーシング１には、スクリューロータを駆動させるための駆動用モータ４が収納されており、また冷媒ガスを吸入するための吸入口１８が設けられている。
【００１９】
２８は電源端子２９を収納する端子箱であり、前記駆動用モータ４には前記電源端子２９を介して商用電源などが供給されるように構成されている。また、前記駆動用モータ４はステータ４ａとロータ４ｂなどから構成されている。更に、２３は冷媒ガスを吸入するための吸入配管で、この吸入配管２３は接続フランジ２４を介して前記吸入口１８が形成されている固定フランジ２５に接続されている。この固定フランジ２５はＯリング２６，２７を介して、モータケーシング１の吸込側端部にボルトで固定されている。
【００２０】
前記主ケーシング２には、円筒状ボア５と、冷媒ガスを円筒状ボア５に導入するための吸入ポート６が形成されている。前記円筒状ボア５には前記スクリューロータが収納され、このスクリューロータは、ころ軸受（低圧側軸受）７，８ところ軸受（高圧側軸受）９、及び玉軸受（高圧側軸受）１０で回転可能に支持されている。また、このスクリューロータは、雄ロータ１１及び雌ロータ（図示せず）が互いに噛み合わせて構成され、前記雄ロータ１１の軸は低圧側で前記駆動用モータ４に直結されている。
【００２１】
前記主ケーシング２には、前記スクリューロータに隣接して配置される容積比調整弁３０も、その弁収納部３７に収納されている。更に、前記主ケーシング２には、油分離器１２と潤滑油を溜める油溜め１４が一体に形成されている。
【００２２】
前記吐出ケーシング３には、軸受室１６が設けられ、この軸受室１６には前記ころ軸受９及び玉軸受１０が収納されている。また、この吐出ケーシング３には、前記主ケーシング２に一体に形成されている前記油分離器１２に連通する冷媒ガスの吐出通路１５が形成されている。更に、前記吐出ケーシング３には、シリンダ室１３が形成されており、このシリンダ室１３には、ロッド３１を介して前記容積比調整弁３０に連結された油圧ピストン３２が収納されている。
【００２３】
前記吐出ケーシング３はボルト等の手段により前記主ケーシング２に固定されており、また、前記吐出ケーシング３の一端側には、前記軸受室１６と前記シリンダ室１３を閉止するための遮蔽板１７が取り付けられている。  
前記主ケーシング２及び前記吐出ケーシング３内には給油通路（図示せず）が形成されており、前記主ケーシング２に形成されている前記油溜め１４と前記各軸受部を連通するように構成されている。
【００２４】
次に、冷媒ガス及び油の流れを説明する。  
前記モータケーシング１に設けられた前記吸入口１８から吸入された低温、低圧の冷媒ガスは、前記吸入口１８の下流側に設けたストレーナ１９で異物が捕集された後、前記駆動用モータ４とモータケーシング１の間に設けられたガス通路、及び前記駆動用モータ４を構成しているステータ４ａとロータ４ｂとの間のエアギャップを通過して、駆動用モータ４を冷却する。この冷却後の冷媒ガスは、前記主ケーシング２に形成された前記吸入ポート６から、前記雄ロータ１１と前記雌ロータ（図示せず）で構成されたスクリューロータの噛み合い歯面、前記主ケーシング２及び前記容積比調整弁３０により形成される吸入室に吸入される。その後、前記駆動用モータ４に連結された雄ロータ１１の回転と共に、前記スクリューロータの噛み合い歯面と、前記主ケーシング２及び前記容積比調整弁３０により形成される圧縮室に密閉され、該圧縮室の縮小により徐々に圧縮されて、高温、高圧の冷媒ガスとなり、前記吐出ケーシング３に形成されている前記吐出通路１５を通り、前記主ケーシング２に一体に構成されている前記油分離器１２内へ吐出される。
【００２５】
前記圧縮時に前記スクリューロータに作用する圧縮反力のうち、ラジアル荷重については前記ころ軸受７，８，９により支持され、スラスト荷重については前記玉軸受１０により支持される。これらの軸受の潤滑及び冷却用の油は、前記主ケーシング２内の高圧部に形成されている前記油溜め１４から、前記各軸受部に連通されている前記給油通路を通って、差圧により前記各軸受部などに給油され、圧縮された冷媒ガス（圧縮冷媒ガス）と共に油分離器１２の入口から該油分離器１２内へ吐出される。油を含んだ前記圧縮冷媒ガスは、前記油分離器１２内に設けられている内筒（図示せず）の外側で旋回流を形成することで、油は遠心力により前記冷媒ガスから分離され、主ケーシング２に一体に形成された前記油溜め１４に溜められる。圧縮冷媒ガスは、油が分離された後、前記主ケーシング２に設けられた吐出口２２から冷媒配管（図示せず）に吐出される。
【００２６】
密閉形スクリュー圧縮機にはレシプロ圧縮機で用いられるような吸入弁や吐出弁が無いので、前述したように、運転圧力比に応じて最適な設定容積比があることが知られている。所定の運転圧力比で最適な設定容積比になるように密閉形スクリュー圧縮機を設計することは可能であるが、運転圧力は外気温度や負荷容量によって変動し、運転圧力比が設定容積比より大きくなると圧縮不足となり、前記運転圧力比が前記設定容積比より小さくなると過圧縮となり、余分な圧縮動力が費やされることになる。
【００２７】
密閉形スクリュー圧縮機においても、スクリューロータに隣接して設置したスライド式の作動弁、即ち前記容積比調整弁３０を用いることで、運転圧力比が変化しても、それに応じた設定容積比の調整が可能となる。この容積比調整弁３０の具体的な作動原理を以下説明する。
【００２８】
前記容積比調整弁３０は、前述したように、前記ロッド３１を介して前記油圧ピストン３２に連結されている。そして、前記シリンダ室１３への油供給、及び前記シリンダ室１３からの油排出により、前記油圧ピストン３２を駆動させ、前記容積比調整弁３０はスクリューロータの軸方向に往復移動する。前記容積比調整弁３０には、前記スクリューロータで圧縮された圧縮ガスを半径方向に吐出させることのできる吐出ポート（ラジアル吐出ポート）が形成されており、この容積比調整弁３０の移動により、圧縮ガスの吐出タイミングの調整、即ち設定容積比の調整が可能になっている。
【００２９】
ここで、前記容積比調整弁３０が移動しても低圧側空間３８に圧縮ガスをバイパス（流出）させないことが重要となる。本実施例では、前記低圧側空間３８に圧縮ガスをバイパスさせないために次のように構成している。即ち、密閉形スクリュー圧縮機を構成する前記主ケーシング２内部に前記容積比調整弁３０の弁収納部３７を、図１〜図３に示すように設け、この弁収納部３７は、低圧側から高圧側まで連続するように構成されている。また、前記容積比調整弁３０を、スクリューロータの低圧側端面４０よりも低圧側に長く形成し、この容積比調整弁３０の軸方向移動に係わらず、前記弁収納部３７の低圧側に前記容積比調整弁３０の一部が常時存在するように構成している。
【００３０】
しかし、これだけの構成では、前述したように、前記低圧側空間３８に圧縮ガスをバイパスさせないようにすることは困難である。  
即ち、前述したように、前記主ケーシング２の容積比調整弁３０の弁収納部３７には、容積比調整弁３０を保持するために、低圧側保持部３３と高圧側保持部３４を設ける必要がある。前記低圧側保持部３３は、図２に示すように、スクリューロータを収納するロータ収納部４１を形成している２つの円弧部分に対応する円弧で形成する必要がある。ところが、ロータ収納部４１を形成している前記２つの円弧部分の交点は鋭く切れ込んだ形状となるため、エンドミルを使用した機械加工などでは、前記低圧側保持部３３をこのような鋭く切れ込んだ形状に製作することは困難であった。
【００３１】
このことを、図６〜図８に示す従来の密閉形スクリュー圧縮機で説明する。図６は本実施例の上記図２に相当する断面図、図７は同じく上記図３に相当する断面図、図８は図６のＢ方向から見た低圧側保持部の構造を示す図である。
【００３２】
これらの図において、４１はスクリューロータを収納するロータ収納部、３７は前記ロータ収納部４１の上部に設けられ容積比調整弁３０を収納するための弁収納部、４０は前記ロータ収納部４１の低圧側端面、４２はスクリューロータを構成する雄ロータ１１の軸部、４３はこの雄ロータ１１と噛み合う雌ロータの軸部である。また、３３は前記弁収納部３７の低圧側に設けられ前記容積比調整弁３０の低圧側を保持するための低圧側保持部である。
【００３３】
前記低圧側保持部３３は、図６に示すように、エンドミル３５がエンドミル軌跡３５ａで示すように移動することで加工されている。従来はこのような軌跡３５ａに沿って前記低圧側保持部３３が加工されるため、この低圧側保持部３３を形成している２つの円弧部分の交点には、前記エンドミル３５の半径と同一の半径（Ｒ部）（或いはエンドミル半径より大きい半径）を有する溝３６が形成されることになる。このため、図７に示すように、容積比調整弁３０と前記溝３６との間には軸方向に連通する連通隙間３９が形成され、この連通隙間３９は圧縮室と低圧側空間３８を連通する。この連通隙間３９から圧縮ガスが低圧側に常時漏れることになり、漏れ損失が増加してスクリュー圧縮機の効率を低下させるという課題があった。
【００３４】
また、前記弁収納部３７の低圧側を閉空間として前記低圧側空間３８に開口しない構成にした場合でも、前記弁収納部３７は往復動する容積比調整弁３０を収納するために大きな容積が必要となる。この大きな容積はデッドスペースになるだけでなく、この大きな容積のデッドスペース（低圧側）は圧縮ガス側と連通するため、やはりスクリュー圧縮機の効率を低下させるという課題があった。
【００３５】
これらの課題を解決するため、本実施例では図２〜図５に示すように構成している。なお、上記図６〜図８と重複する部分には同一符号を付しているので、重複する部分の説明は省略する。  
本実施例でも、前記主ケーシング２に設けた弁収納部３７には、その低圧側に前記容積比調整弁３０を保持するための低圧側保持部３３が形成されている。また、この低圧側保持部３３には上記図６と同様に、前記エンドミル３５の半径と同一の半径（Ｒ部）（或いは同等以上の半径）を有する溝３６が形成されている。そして、本実施例においては、図２及び図４に示すように、主ケーシング２のロータ収納部４１の低圧側端面４０には、前記溝３６よりも大きな径の任意の円弧４７で形成された凹部４４が設けられている。また、前記溝３６の一端側は、図４に示すように、低圧側端面４０に形成されている前記凹部４４と接続され、前記溝３６の他端側は前記低圧側空間３８に接続されている。
【００３６】
前記凹部４４は、容積比調整弁３０と前記溝３６で形成される前記連通隙間３９（図７参照）より大きなサイズに形成されており、この凹部４４には、図５に示すようなピース４５を、図３に示すように嵌め込み、これによって前記連通隙間３９を前記ピース４５で塞ぐことができる。従って、圧縮室と低圧側空間３８を連通する連通隙間３９を塞ぐことが可能になるから、前記連通隙間３９から圧縮ガスが低圧側に漏れるのを抑制することができ、漏れ損失を低減して効率向上を図れる密閉形スクリュー圧縮機を得ることができる。
【００３７】
なお、前記ピース４５は、図５に示すように、前記ロータ収納部４１を形成している２つの円弧部分に対応する２つの円弧４６と、前記凹部４４を構成している任意の円弧４７と同じ円弧で形成されている。
【００３８】
前記ピース４５を前記凹部４４に嵌め込むことにより、ロータ収納部４１を形成している２つの円弧部分に対応する円弧で形成されている前記低圧側保持部３３の同一円弧延長上に、前記ピース４５の２つの円弧４６の部分を配置させることができる。そして、前記容積比調整弁３０も前記ロータ収納部４１を形成する２つの円弧部分に対応する２つの円弧で形成されているので、前記ピース４５の設置により、圧縮室と低圧側空間３８を連通する連通隙間３９を完全に塞ぐことが可能になる。
【００３９】
前記主ケーシング２のような大型のワーク（加工品）は、エンドミルなどを使用した機械加工が必須であり、このため、前記低圧側支持部３３の加工はエンドミルを使用した機械加工となるから、使用するエンドミルの半径以上の大きな溝３６が形成されてしまう。
【００４０】
そこで本実施例では、エンドミルを使用して、前記低圧側支持部３３、前記溝３６及びこの溝３６よりも大きな前記凹部４４を加工する。また、前記ピース４５のような小型のワークであれば、ワイヤカットやプレスなどによる機械加工が可能となるから、前記ロータ収納部４１を形成している２つの円弧部分の交点部に対応するような鋭く切り込んだ形状に加工することが可能となる。従って、前記ピース４５については、図５に示すような形状に加工することができる。
【００４１】
更に、前記凹部４４は、前記ピース４５を形成している任意の円弧４７の部分を圧入可能なしまりばめの寸法公差に設定する。これにより、前記ピース４５を前記凹部４４に容易に設置することができる。なお、前記ピース４５の前記凹部４４への設置方法は、圧入に限定されるものではなく、ボルト等による締結、ろう付け等の溶接加工による締結、或いは接着剤を用いた接着接合でも良い。
【００４２】
以上説明したように、本実施例によれば、簡単な構造で、前記連通隙間３９から圧縮ガスが低圧側に漏れるのを防止することができるから、漏れ損失を低減した効率の良い密閉形スクリュー圧縮機を得ることができる。
【実施例２】
【００４３】
本発明の密閉形スクリュー圧縮機の実施例２を図９により説明する。図９は本実施例２の密閉形スクリュー圧縮機の縦断面図である。また、図９において、上述した図１〜図８と同一符号を付した部分は同一或いは相当する部分であり、同一部分については、重複する説明を省略する。
【００４４】
本実施例２が上記実施例１と異なる点は、スクリューロータを駆動するために雄ロータ１１に直結された駆動用モータ４を、インバータ４９で駆動するように構成していることである。商用電源などの外部電源５０から前記インバータ４９を介して周波数変換された電源が前記駆動用モータ４に供給されることにより、該駆動用モータ４はその回転数が制御され、これによって吐出口２２から吐出される圧縮ガスの量を制御することができるように構成されている。
【００４５】
この実施例でも、前記実施例１と同様に、図２〜図５に示すように、ロータ収納部４１の低圧側端面４０には連通隙間３９（図７参照）よりも大きく形成した凹部４４が形成され、この凹部４４には、前記連通隙間３９を塞ぐようにピース４５が設置された構成となっている。
【００４６】
インバータ４９を用いてスクリュー圧縮機を回転数制御する場合、特に中低速運転ではスクリューロータの１回転当りの漏れ量が増加するので、圧縮機の効率低下が著しくなる。しかし、本実施例の構成とすることで、圧縮室と低圧側空間３８を連通する前記連通隙間３９を塞ぐことが可能になるから、中低速運転での漏れ量を大幅に低減できる。従って、中低速運転でも効率低下を抑えることのできる高性能な密閉形スクリュー圧縮機を得ることができる効果がある。
【００４７】
このように、本実施例は、インバータで回転数制御される密閉形スクリュー圧縮機との組合せとしたことにより、特に大きな効果が得られるものである。  
なお、図９において、II−II線の断面図は上記実施例１の図２や図３と同様である。また、他の構成は上記実施例１と同様である。
【実施例３】
【００４８】
本発明の密閉形スクリュー圧縮機の実施例３を図１０〜図１３により説明する。図１０は上記図２に相当する断面図、図１１は上記図３に相当する断面図、図１２は図１０のＣ方向から見た低圧側保持部の構造を示す図、図１３は図１１に示すピース４５の形状を示す正面図である。また、これらの図において、上述した図１〜図８と同一符号を付した部分は同一或いは相当する部分であり、同一部分については、重複する説明を省略する。
【００４９】
本実施例３でも、ロータ収納部４１の低圧側端面４０に凹部４４を設け、この凹部４４に、前記連通隙間３９（図７参照）を塞ぐようにピース４５を設ける点では上記実施例１と同様であるが、以下説明する点が相違している。
【００５０】
本実施例では、容積比調整弁３０を収納する弁収納部３７の低圧側支持部３３の加工において、図１０の左側の低圧側支持部３３ｂは、ロータ収納部４１を形成している２つの円弧部分の交点位置を通過して若干延長した位置までエンドミルで加工することで形成され、前記交点位置よりも右側に、エンドミル半径と同等以上の半径を有する溝３６が形成されている。また、図１０の右側の低圧側支持部３３ａは、前記溝３６の位置までエンドミルで加工することで形成されている。前記凹部４４は、前記交点位置から右側の前記低圧側端面４０上に、前記溝３６よりも大きな任意の円弧４７で形成されている。
【００５１】
一方、前記ピース４５は、図１３に示すように、前記ロータ収納部４１を形成する２つの円弧のうち、右側の雄ロータを収納するロータ収納部４１ａの円弧と同じ形状に形成された円弧４６ａと、前記凹部４４を形成している任意の円弧４７と同じ円弧で構成されている。そして、このピース４５は前記凹部４４に圧入などの手段で設置される。
【００５２】
図１０及び図１２は、前記ピース４５を前記凹部４４に嵌め込む前の状態を示しており、前記溝３６が圧縮室と低圧側空間３８を連通する連通隙間３９となっている。図１１は図１３に示すピース４５を前記凹部４４に嵌め込み、更に容積比調整弁３０を弁収納部３７に収納して、前記低圧側支持部３３（３３ａ，３３ｂ）で支持されている状態を示している。この図１１に示すように、前記ピース４５によって前記連通隙間３９は塞がれた状態になるから、この連通隙間３９から圧縮ガスが低圧側に漏れるのを防止することができる。従って、本実施例においても漏れ損失を低減した効率の良い密閉形スクリュー圧縮機を得ることができる。
【００５３】
また、上記実施例１の場合、前記ピース４５は、２つの円弧の交点が鋭く切れ込んだ形状となっているため、ワイヤカットなどによる機械加工が必要になり、加工方法が限定されたものとなる。これに対し、本実施例３の場合、前記ピース４５は、一方のロータ収納部４１（本実施例においては雄ロータを収納するロータ収納部４１ａ）を形成している円弧部分と同じ円弧４６（４６ａ）と、前記凹部４４を形成している任意の円弧４７の２つの円弧のみで形成されている。従って、前記ピース４５は鋭く切れ込んだ形状とはならないため、エンドミルを用いた機械加工のみでも製作可能となる。特に、前記凹部４４及び前記ピース４５を大きく形成すれば、これらを加工するエンドミルの径も大きなものを使用できるから、加工速度をより速くできると共に工具寿命も延ばすことができる。即ち、本実施例３によれば、簡単な構造で作り勝手にも優れるという効果も得られるものである。
【００５４】
なお、上述した実施例３では、前記溝３６及び前記凹部４４を、ロータ収納部４１を形成している２つの円弧部分の交点位置よりも右側に形成するようにしているが、前記溝３６及び前記凹部４４を前記交点位置よりも左側（雌ロータを収納するロータ収納部４１ｂ側）形成するようにしても良い。この場合には、前記ピース４５の円弧４６は左側の前記ロータ収納部４１ｂの円弧部分と同じ形状に形成される。
【実施例４】
【００５５】
本発明の密閉形スクリュー圧縮機の実施例４を図１４〜図１７により説明する。図１４は上記図２に相当する断面図、図１５は上記図３に相当する断面図、図１６は図１４のＤ方向から見た低圧側保持部の構造を示す図、図１７は図１５に示すピース４５の形状を示す正面図である。また、これらの図においても、上述した図１〜図８と同一符号を付した部分は同一或いは相当する部分であり、同一部分については、重複する説明を省略する。
【００５６】
本実施例４でも、ロータ収納部４１の低圧側端面４０に凹部４４を設け、この凹部４４に、前記連通隙間３９（図７参照）を塞ぐようにピース４５を設ける点では上記実施例１と同様であるが、以下説明する点が相違している。
【００５７】
上記実施例１では、凹部４４は、エンドミルの半径と同一或いは同等以上の半径を有する溝３６よりも大きな径の任意の円弧４７で形成され、ピース４５は、前記凹部４４を形成している任意の円弧４７と同じ円弧と、ロータ収納部４１を形成している２つの円弧部分に対応する２つの円弧４６とで構成されている。これに対し、本実施例４では、図１４及び図１７に示すように、前記凹部４４及び前記ピース４５を形成している前記任意の円弧４７の一部を直線部４８で構成しているものである。ここで、前記ピース４５の任意の円弧４７と直線部４８は、前記凹部４４を形成している任意の円弧４７及び直線部４８と同じに構成されており、前記ピース４５は前記凹部４４に圧入などで嵌め込まれて固定される。
【００５８】
従って、図１５に示すように、前記ピース４５を前記凹部４４に設置することにより、連通隙間３９（図７参照）を塞ぐことができるから、前記連通隙間３９から圧縮ガスが低圧側空間３８（図１６参照）に漏れるのを抑制することができる。これにより、漏れ損失を低減可能な効率の良い密閉形スクリュー圧縮機を得ることができる。
【００５９】
また、上記実施例１のように、前記凹部４４と前記ピース４５が前記任意の円弧４７だけで嵌合されている場合、前記ピース４５は前記凹部４４内で回転することが可能な構造になる。このため、前記ピース４５の姿勢が回転方向にずれると、このピース４５と容積比調整弁３０とが干渉し、容積比調整弁３０を主ケーシング２に収納することが困難となる。
【００６０】
これに対し、本実施例４では、前記凹部４４及び前記ピース４５を形成している前記任意の円弧４７の一部を直線部４８で構成しているので、前記ピース４５が前記凹部４４に嵌合設置されると、前記ピース４５は周方向に回転できない構造になっている。従って、前記ピース４５の姿勢が周方向にずれるのを防止でき、前記ピース４５と前記容積比調整弁３０とが干渉するのを防止することができる。また、本実施例によれば、前記ピース４５を前記凹部４４に設置するだけで、該ピース４５を正しい姿勢で設置できるから、ピース４５を設置する際の位置決め作業も容易になるという効果も得られる。
【００６１】
なお、本実施例４では、上記実施例１と同様に、前記溝３６及び前記凹部４４を、ロータ収納部４１を形成する２つの円弧部分の交点位置に形成する例で説明したが、上記実施例３と同様に、前記溝３９及び前記凹部４４を、ロータ収納部４１を形成する２つの円弧部分の交点位置よりも左右何れかの側にずらして形成することも可能であり、このようにすれば、上記実施例３と同様の効果も更に得ることができる。
【００６２】
また、本実施例４では、上記凹部４４及びピース４５は、任意の円弧４７と直線部４８を有しているが、必ずしも前記任意の円弧４７と直線部４８で形成される構成に限られるものではなく、前記溝３６や連通隙間３９を塞ぐことができる形状であれば良い。即ち、前記溝３６よりも大きな任意の輪郭、例えば楕円形状、曲線や直線を組み合わせた任意形状の輪郭となるように構成することも可能である。
【実施例５】
【００６３】
本発明の密閉形スクリュー圧縮機の実施例５を図１８により説明する。図１８は本発明の実施例５を示す密閉形スクリュー圧縮機の縦断面図である。また、図１８において、上述した図１〜図８と同一符号を付した部分は同一或いは相当する部分であり、同一部分については、重複する説明を省略する。
【００６４】
上記実施例１のものでは、密閉形スクリュー圧縮機を構成する圧縮機ケーシングを、モータケーシング１、主ケーシング２及び吐出ケーシング３で構成しているが、本実施例５では、前記圧縮機ケーシングを、図１８に示すように、モータケーシング１、主ケーシング２及び吐出ケーシング３と、更にモータカバー１ａで構成している。そして、本実施例５においては、前記モータケーシング１には駆動用モータ４などが収納され、前記モータカバー１ａには、吸入口１８を有する固定フランジ２５及びストレーナ１９等が設置されると共に前記駆動用モータ４のコイルエンド部４ｃが収納されている。また、前記主ケーシング２には、スクリューロータを収納する円筒状ボア５（ロータ収納部４１）、容積比調整弁３０を収納する弁収納部３７及び吸入ポート６などが形成されると共に、油分離器１２や油溜め１４が一体に形成されている。前記吐出ケーシング３には、高圧側軸受９，１０を収納する軸受室１６や吐出通路１５等が設けられている。
【００６５】
上記実施例１のもののように、低圧側のころ軸受７，８、スクリューロータ及び容積比調整弁３０などは一つのケーシング、即ち主ケーシング２に収納することが一般的である。しかし、この構成では前記主ケーシング２に前記低圧側のころ軸受７，８を収納するための軸受収納部があるので、前記容積比調整弁３０の低圧側保持部３３を加工するためには、前記ロータ収納部４１の高圧側から加工工具を挿入し、加工作業を実施しなければならない。そのため、前記加工工具にはロータ収納部４１を考慮した長さが必要となり、加工時にびびり振動が発生する懸念がある。
【００６６】
そこで、本実施例５では、前記スクリューロータと容積比調整弁３０を前記主ケーシング２に収納し、前記駆動用モータ４と低圧側のころ軸受（低圧側軸受）７，８をモータケーシング１に収納するように構成したものである。このように構成することにより、前記容積比調整弁３０を支持する前記低圧側保持部３３を、前記主ケーシング２の低圧側端部（前記モータケーシング１に面する部分）に存在させることができるようになる。このため、本実施例５のように構成することにより、前記低圧側保持部３３を主ケーシング２の低圧側から加工することが可能になるから、加工が容易になり、加工性に優れた高性能の密閉形スクリュー圧縮機を得ることができる。
【００６７】
なお、図１８において、II−II線の断面図は上記実施例１の図２や図３と同様であり、本実施例５においても上記実施例１と同様に、エンドミルの半径と同一或いは同等以上の半径を有する溝３６、この溝３６よりも大きな径の任意の円弧４７で形成された凹部４４、この凹部４４を形成している任意の円弧４７と同じ円弧及び前記ロータ収納部４１を形成している２つの円弧部分に対応する２つの円弧４６で構成され、前記凹部４４に設置されるピース４５を備えている。他の構成は上記実施例１と同様であり、上記実施例１と同様の効果が得られるものである。
【００６８】
また、前記溝３６、凹部４４及び前記ピース４５の構成については、前記実施例３や実施例４と同様の構成にしても良い。更に、上記実施例２と同様に、前記駆動用モータ４をインバータ４８で駆動するように構成しても良い。
【００６９】
なお、本実施例５に示したように、容積比調整弁３０を備えるものにおいて、圧縮機ケーシングを軸方向に４分割し、スクリューロータと容積比調整弁３０を主ケーシング２に収納すると共に、駆動用モータ４と低圧側軸受７，８をモータケーシング１に収納することで、前記容積比調整弁３０を支持する低圧側保持部３３を、前記主ケーシング２の低圧側端部に存在させ、この低圧側保持部３３を主ケーシング２の低圧側から加工にできるようにすることは、前記凹部４４や前記ピース４５の有無に関係なく得られる特徴である。従って、この特徴は、前記凹部４４や前記ピース４５を備えていない密閉形スクリュー圧縮機にも同様に適用可能なものである。
【００７０】
上述した本発明の各実施例によれば、容積比調整弁３０を保持するための低圧側保持部３０に形成され、エンドミルの半径と同一或いは同等以上の半径を有する溝３６よりも大きく形成された凹部４４を、圧縮機ケーシングのロータ収納部４１の低圧側端面４０に備え、この凹部４４に前記溝３９を塞ぐようにピース４５を設置するように構成している。これにより、前記容積比調整弁３０と前記溝３６で形成される連通隙間３９を前記ピース４５で塞ぐことができる。従って、前記連通隙間３９から圧縮ガスが低圧側への漏れるのを抑制することができるから、漏れ損失を低減して効率向上を図れる高性能の密閉形スクリュー圧縮機を得ることができる効果がある。
【符号の説明】
【００７１】
１：モータケーシング、１ａ：モータカバー、
２：主ケーシング、３：吐出ケーシング、
４：駆動用モータ、４ａ：ステータ、４ｂ：ロータ、４ｃ：コイルエンド部
５：円筒状ボア、６：吸入ポート、
７，８：低圧側軸受（ころ軸受）、
９，１０：高圧側軸受（９：ころ軸受、１０：玉軸受）、
１１：雄ロータ（スクリューロータ）、
１２：油分離器、
１３：シリンダ室、
１４：油溜め、１５：吐出通路、
１６：軸受室、１７：遮蔽板、
１８：吸入口、１９：ストレーナ、
２２：吐出口、２３：冷媒吸入用配管、２４：接続フランジ、２５：固定フランジ、
２６，２７：Ｏリング、
２８：端子箱、２９：電源端子、
３０：容積比調整弁、
３１：ロッド、３２：油圧ピストン、
３３，３３ａ，３３ｂ：低圧側保持部、３４：高圧側保持部
３５：エンドミル、３５ａ：エンドミルの軌跡、
３６：Ｒ部を有する溝、
３７：弁収納部、
３８：低圧側空間、
３９：連通隙間、４０：低圧側端面、
４１（４１ａ，４１ｂ）：ロータ収納部、
４２：雄ロータ軸部、４３：雌ロータ軸部、
４４：凹部、４５：ピース、
４６：円弧、
４６ａ：雄ロータを収納するロータ収納部を形成している円弧部分と同じ円弧、
４７：任意の円弧、４８：直線部、
４９：インバータ、５０：外部電源。
【図１】
2014077362.tif 000003
【図２】
2014077362.tif 000004
【図３】
2014077362.tif 000005
【図４】
2014077362.tif 000006
【図５】
2014077362.tif 000007
【図６】
2014077362.tif 000008
【図７】
2014077362.tif 000009
【図８】
2014077362.tif 000010
【図９】
2014077362.tif 000011
【図１０】
2014077362.tif 000012
【図１１】
2014077362.tif 000013
【図１２】
2014077362.tif 000014
【図１３】
2014077362.tif 000015
【図１４】
2014077362.tif 000016
【図１５】
2014077362.tif 000017
【図１６】
2014077362.tif 000018
【図１７】
2014077362.tif 000019
【図１８】
2014077362.tif 000020